(57)【要約】      （修正有）【課題】ユーザーが操作ボタンを誤って操作し、誤ったアラーム時間を計時することを防止できる、タイマー装置を提供する。【解決手段】タイマー装置１０は、複数のプリセットボタン１６Ａ〜１６Ｄに一対一で対応するプリセット情報表示領域１８を備える。プリセット情報表示領域は、ユーザー等によってプリセットボタンに設定されたアラーム時間に関連する表示が可能とされるので、ユーザーは、設定したアラーム時間の利用目的を容易に認識可能となる。従って、タイマー装置は、ユーザーが操作ボタンを誤って操作し、誤ったアラーム時間を計時することを防止できる。【選択図】図１
0003233989.tif 000002
【実用新案登録請求の範囲】
【請求項１】
複数のアラーム時間が設定可能とされるタイマー装置であって、
計時している前記アラーム時間に応じたカウントを表示するカウント表示部と、
設定した複数のアラーム時間に一対一で対応し、対応する前記アラーム時間の計時開始の操作を受け付ける複数の操作ボタンと、
前記複数の操作ボタンに一対一で対応し、対応する前記操作ボタンに設定された前記アラーム時間に関連する情報の表示を可能とする複数の設定情報表示領域と、
を備えるタイマー装置。
【請求項２】
前記設定情報表示領域は、粘着性のあるシールが貼り付け可能とされる、請求項１に記載のタイマー装置。
【請求項３】
前記設定情報表示領域の位置に対応して磁性体が設けられ、
前記設定情報表示領域は、磁石付きのシールが貼り付け可能とされる、請求項１又は請求項２に記載のタイマー装置。
【請求項４】
前記操作ボタンとは対応関係にない情報表示領域が備えられる、請求項１から請求項３の何れか１項に記載のタイマー装置。
【請求項５】
前記複数の操作ボタンは、前記カウント表示部の下側に上下方向に並んで配置され、
前記設定情報表示領域は、対応する前記操作ボタンの右側又は左側に配置される、
請求項１から請求項４の何れか１項に記載のタイマー装置。
【請求項６】
前記設定情報表示領域の下側に、前記アラーム時間を設定するための入力部が配置される、請求項５に記載のタイマー装置。
【請求項７】
前記カウント表示部の横側に、前記アラーム時間を設定するための入力部が配置され、
前記カウント表示部及び前記入力部の下側に、前記操作ボタン及び前記設定情報表示領域が配置される、請求項１から請求項４の何れか１項に記載のタイマー装置。
【請求項８】
少なくとも前記複数の設定情報表示領域を覆い、着脱可能な透明部材を備える、請求項１から請求項７の何れか１項に記載のタイマー装置。
【請求項９】
前記複数の設定情報表示領域が備えられる領域が開閉可能とされ、
開状態となった前記領域に、前記アラーム時間を設定するための入力部が配置される、請求項１から請求項８の何れか１項に記載のタイマー装置。
【考案の詳細な説明】
【技術分野】
【０００１】
本考案は、タイマー装置に関する。
【背景技術】
【０００２】
従来から特許文献１に記載のようなタイマー装置が普及し、広く利用されている。タイマー装置には、設定できるアラーム時間が一つではなく、複数のアラーム時間を設定（保存及び呼出し）できるプリセットタイマーと呼ばれる装置もある。プリセットタイマーは、複数の操作ボタン毎にアラーム時間が設定されている。
【先行技術文献】
【特許文献】
【０００３】
【特許文献１】特開２０１６−１０９６４１号公報
【考案の概要】
【考案が解決しようとする課題】
【０００４】
しかしながら、従来のプリセットタイマーは、操作ボタン毎に設定されたアラーム時間の利用目的をユーザーが容易に認識できる構成となっていない。このため、アラーム時間を設定した人と実際にプリセットタイマーを使用する人とが異なる場合等もあり、ユーザーが誤った操作ボタンを操作することにより、ユーザーが意図しないアラーム時間を計時する可能性がある。
【０００５】
そこで、本考案は、ユーザーが操作ボタンを誤って操作し、誤ったアラーム時間を計時することを防止できる、タイマー装置を提供することを目的とする。
【課題を解決するための手段】
【０００６】
本考案の一態様のタイマー装置は、複数のアラーム時間が設定可能とされるタイマー装置であって、計時している前記アラーム時間に応じたカウントを表示するカウント表示部と、設定した複数のアラーム時間に一対一で対応し、対応する前記アラーム時間の計時開始の操作を受け付ける複数の操作ボタンと、前記複数の操作ボタンに一対一で対応し、対応する前記操作ボタンに設定された前記アラーム時間に関連する情報の表示を可能とする複数の設定情報表示領域と、を備える。
【０００７】
本構成によれば、タイマー装置は、設定したアラーム時間に一対一で対応する複数の操作ボタンと、複数の操作ボタンに一対一で対応する設定情報表示領域を備える。設定情報表示領域は、ユーザー等によって操作ボタンに設定されたアラーム時間に関連する表示が可能とされるので、ユーザーは、設定したアラーム時間の利用目的等を容易に認識可能となる。従って、本構成のタイマー装置は、ユーザーが操作ボタンを誤って操作し、誤ったアラーム時間を計時することを防止できる。
【０００８】
上記のタイマー装置において、前記設定情報表示領域は、粘着性のあるシールが貼り付け可能とされてもよい。本構成によれば、ユーザーは容易にアラーム時間毎の利用目的等をタイマー装置に表示できる。
【０００９】
上記のタイマー装置において、前記設定情報表示領域の位置に対応して磁性体が設けられ、前記設定情報表示領域は、磁石付きのシールが貼り付け可能とされてもよい。本構成によれば、ユーザーは容易にアラーム時間毎の利用目的等をタイマー装置に表示できる。
【００１０】
上記のタイマー装置において、前記操作ボタンとは対応関係にない情報表示領域が備えられてもよい。本構成によれば、ユーザーはアラーム時間毎の利用目的以外の情報、例えばタイマー装置の用途や管理番号等を容易に表示できる。
【００１１】
上記のタイマー装置において、前記複数の操作ボタンは、前記カウント表示部の下側に上下方向に並んで配置され、前記設定情報表示領域は、対応する前記操作ボタンの右側又は左側に配置されてもよい。本構成によれば、タイマー装置に対するユーザーの利便性が向上する。
【００１２】
上記のタイマー装置において、前記設定情報表示領域の下側に、前記アラーム時間を設定するための入力部が配置されてもよい。本構成によれば、タイマー装置の利便性が向上する。
【００１３】
上記のタイマー装置において、前記カウント表示部の横側に、前記アラーム時間を設定するための入力部が配置され、前記カウント表示部及び前記入力部の下側に、前記操作ボタン及び前記設定情報表示領域が配置されてもよい。本構成によれば、タイマー装置の利便性が向上する。
【００１４】
上記のタイマー装置において、少なくとも前記複数の設定情報表示領域を覆い、着脱可能な透明部材を備えてもよい。本構成によれば、設定情報表示領域の汚れや設定情報表示領域に貼り付けたシールの剥がれや脱落等を防止できる。
【００１５】
上記のタイマー装置において、前記複数の設定情報表示領域が備えられる領域が開閉可能とされ、開状態となった前記領域に、前記アラーム時間を設定するための入力部が配置されてもよい。本構成によれば、タイマー装置の利便性が向上する。
【００１６】
本構成によれば、ユーザーが操作ボタンを誤って操作し、誤ったアラーム時間を計時することを防止できる。
【考案の効果】
【００１７】
本考案によれば、ユーザーが操作ボタンを誤って操作し、誤ったアラーム時間を計時することを防止できる。
【図面の簡単な説明】
【００１８】
【図１】図１は、本実施形態のタイマー装置の正面図である。
【図２】図２は、本実施形態のプリセット情報表示領域に情報が表示されたタイマー装置の正面図である。
【図３】図３は、本実施形態のフリー情報表示領域を備えたタイマー装置の正面図である。
【図４】図４は、本実施形態の正面カバーを装着したタイマー装置の正面図である。
【図５】図５は、本実施形態の入力部が開閉領域に設けられるタイマー装置の上面図である。
【図６】図６は、他の実施形態のタイマー装置の正面図である。
【考案を実施するための形態】
【００１９】
以下、図面を参照して本考案の実施形態を説明する。なお、以下に説明する実施形態は、本考案を実施する場合の一例を示すものであって、本考案を以下に説明する具体的構成に限定するものではない。本考案の実施にあたっては、実施形態に応じた具体的構成が適宜採用されてよい。
【００２０】
図１は、本実施形態のタイマー装置１０の正面図である。本実施形態のタイマー装置１０は、複数のアラーム時間が設定可能とされる、いわゆるプリセットタイマーである。タイマー装置１０は、例えば、背面に磁石が設けられ、冷蔵庫等に貼り付け可能とされ、所謂キッチンタイマーとして使用される。
【００２１】
本実施形態のタイマー装置１０は、本体部１２の正面にカウント表示部１４、複数のプリセットボタン１６、複数のプリセット情報表示領域１８、及び入力部２０を備える。
【００２２】
カウント表示部１４は、一例として液晶表示ディスプレイであり、計時しているアラーム時間に応じたカウントを表示したり、プリセットボタン１６に対するアラーム時間の設定に用いられる。本実施形態のカウント表示部１４は、一例として、計時しているアラーム時間に達するまでの残り時間をカウントダウン表示する。なお、本実施形態のタイマー装置１０による計時は、一例として、アラーム時間からのカウントダウンであるが、これに限らず、アラーム時間に達するまでのカウントアップでもよい。また、アラーム時間として時刻が設定されてもよい。
【００２３】
複数のプリセットボタン１６は、設定したアラーム時間毎に一対一で対応し、対応するアラーム時間の計時開始の操作を受け付ける。すなわち、タイマー装置１０は、プリセットボタン１６に対する一回の押圧操作によってプリセットボタン１６毎に設定されたアラーム時間の計時を開始する。そして、アラーム時間に達するとタイマー装置１０は、所定の音を出力し、ユーザーへアラーム時間に達したことを報知する。ユーザーはアラームが報知された後に、同じプリセットボタン１６を再び押圧操作することでアラームを停止させる。なお、アラーム時間に達する前に、同じプリセットボタン１６を再び押圧操作することで計時が終了される。
【００２４】
本実施形態のタイマー装置１０は、一例として、４つのプリセットボタン１６Ａ〜１６Ｄを備える。プリセットボタン１６Ａ〜１６Ｄは、プリセットボタン１６Ａ，１６Ｂとプリセットボタン１６Ｃ，１６Ｄの二つのグループＡ，Ｂに分けられる。
【００２５】
本実施形態のタイマー装置１０は、同時に２つのアラーム時間を計時可能とされている。すなわち、タイマー装置１０は、プリセットボタン１６Ａ，１６Ｂの何れか一つに設定されたアラーム時間と、プリセットボタン１６Ｃ，１６Ｄの何れか一つに設定されたアラーム時間と、を同時に計時できる。
【００２６】
このため、カウント表示部１４は、一例として、２つのアラーム時間を同時に計時できるように、上下に２つのカウント表示部１４Ａ，１４Ｂを備える。プリセットボタン１６Ａ又はプリセットボタン１６Ｂに設定されたアラーム時間に応じたカウントがカウント表示部１４Ａに表示され、プリセットボタン１６Ｃ又はプリセットボタン１６Ｄに設定されたアラーム時間に応じたカウントがカウント表示部１４Ｂに表示される。また、カウント表示部１４Ａ，１４Ｂは、現在計時中のアラーム時間に対応するプリセットボタン１６の番号（１又は２、３又は４）を表示する。これにより、ユーザーは、現在計時中のアラーム時間がどのプリセットボタン１６に対応したものであるかを認識できる。
【００２７】
プリセット情報表示領域１８は、複数のプリセットボタン１６毎に一対一で対応し、プリセットボタン１６に設定されているアラーム時間に関連する情報の表示を可能とする領域である。なお、本実施形態のタイマー装置１０は、４つのプリセットボタン１６Ａ〜１６Ｄに各々対応する４つのプリセット情報表示領域１８Ａ〜１８Ｄをプリセットボタン１６Ａ〜１６Ｄの右側に備える。プリセット情報表示領域１８の詳細については後述する。
【００２８】
入力部２０は、設定開始ボタン２０Ａ及び０〜９までの数値ボタン２０Ｂ（テンキー）を備える。ユーザーは、設定開始ボタン２０Ａを押圧した後に、アラーム時間を設定させるプリセットボタン１６を押圧する。その後、ユーザーは、数値ボタン２０Ｂを押圧することでアラーム時間が入力し、設定する。このような入力部２０に対する操作により、プリセットボタン１６毎にアラーム時間が設定される。
【００２９】
また、図１に示されるように本実施形態のタイマー装置１０は、一例として、複数のプリセットボタン１６が、カウント表示部１４の下側に上下方向に並んで配置され、プリセット情報表示領域１８が、対応するプリセットボタン１６の右側に配置される。また、本実施形態のタイマー装置１０は、プリセット情報表示領域１８の下側に、アラーム時間を設定するための入力部２０が配置される。
【００３０】
本実施形態のタイマー装置１０は、プリセットタイマーであるため、時間設定を行う入力部２０（テンキー）よりもタイマーのスタートとストップを行うプリセットボタン１６の方が使用頻度は高い。このため、プリセットボタン１６を入力部２０よりも上側にするほうが、タイマー装置１０に対するユーザーの利便性が向上する。
【００３１】
ここで、上述のようにタイマー装置１０には、複数のプリセットボタン１６が備えられ、各々のプリセットボタン１６毎にアラーム時間が設定される。このため、ユーザーは、各プリセットボタン１６に設定されたアラーム時間の利用目的等を正しく認識する必要がある。
【００３２】
そこで上述のように、本実施形態のタイマー装置１０は、複数のプリセットボタン１６Ａ〜１６Ｄに一対一で対応するプリセット情報表示領域１８を備える。本実施形態のプリセット情報表示領域１８は、粘着性のあるシール３０が貼り付け可能とされている。すなわち、図２に示されるように、ユーザーは、プリセットボタン１６に設定されたアラーム時間に関連する文字等が表面に印字又は記入されたシール３０をプリセット情報表示領域１８に貼り付ける。これにより、ユーザーは容易にアラーム時間毎の利用目的等をタイマー装置１０に表示できる。
【００３３】
また、タイマー装置１０は、プリセット情報表示領域１８の位置に対応して磁性体が設けられ、プリセット情報表示領域１８は、磁石付きのシール（以下「マグネットシール」という。）が貼り付け可能とさてもよい。このユーザーは、マグネットシールの表面に文字等を印字又は記入してプリセット情報表示領域１８に貼り付ける。
【００３４】
なお、これらに限らず、ユーザーは、プリセット情報表示領域１８に対してペン等によって、プリセットボタン１６に設定されたアラーム時間に関連する情報を直接記入してもよい。
【００３５】
また、図３に示されるように、タイマー装置１０はプリセットボタン１６とは対応関係にない情報表示領域であるフリー情報表示領域３２が備えられてもよい。図３に示されるフリー情報表示領域３２は、一例として、プリセット情報表示領域１８と入力部２０との間に備えられるが、これに限らず、入力部２０の下側やカウント表示部１４の上側等、他の位置に備えられてもよい。
【００３６】
フリー情報表示領域３２は、例えば、タイマー装置１０の用途や管理番号等、タイマー装置１０自体に関係する情報がユーザーによって表示される。なお、フリー情報表示領域３２もプリセット情報表示領域１８と同様に、シール３０の貼り付け、マグネットシールの貼り付け、直接記入等によって情報が表示される。
【００３７】
また、図４に示されるように、タイマー装置１０は、正面カバー３４が装着可能とされてもよい。正面カバー３４は、少なくとも複数のプリセット情報表示領域１８を覆い、着脱可能な透明部材である。これにより、プリセット情報表示領域１８の汚れ、プリセット情報表示領域１８に貼り付けられたシール３０等の剥がれや脱落等を防止できる。
【００３８】
なお、図４に示される正面カバー３４は、プリセットボタン１６を操作可能とするために、プリセットボタン１６の領域を覆わない孔３４Ａが形成されている。
【００３９】
また、タイマー装置１０は、図５に示されるように、プリセットボタン１６及びプリセット情報表示領域１８が設けられる領域（以下「開閉領域」という。）３６が開閉可能とされ、開状態となった開閉領域３６にアラーム時間を設定するための入力部２０が配置されてもよい。
【００４０】
図５の例では、開閉領域３６がヒンジによって本体部１２と接続され、図５（Ａ）に示される閉状態と図５（Ｂ）に示される開状態とのように、左方向に開閉可能とされる。なお、これに限らず、開閉領域３６が右方向又は下方向に開閉可能とされてもよいし、ヒンジを用いた開閉機構ではなく、開閉領域３６が本体部１２に対してスライド式とされ、開閉領域３６を右方向、左方向、又は下方向にスライドさせることで閉状態と開状態に変化させてもよい。
【００４１】
なお、図５の例では、開閉領域３６は、プリセットボタン１６及びプリセット情報表示領域１８が設けられる領域とされるが、これに限らず、開閉領域３６はプリセットボタン１６が設けられる領域を含まず、プリセット情報表示領域１８を含む領域とされてもよい。
【００４２】
以上説明したように、本実施形態のタイマー装置１０は、プリセットボタン１６に一対一で対応するプリセット情報表示領域１８に、プリセットボタン１６に設定されたアラーム時間に関連する表示が可能とされるので、ユーザーはプリセットボタン１６に設定されたアラーム時間の利用目的を容易に認識可能となる。従って、本実施形態のタイマー装置１０は、ユーザーが操作ボタンを誤って操作し、誤ったアラーム時間を計時することを防止できる。
【００４３】
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。  
【００４４】
例えば、上記実施形態では、プリセット情報表示領域１８に食物名を記入する形態について説明したが、本実施形態はこれに限られない。プリセット情報表示領域１８には、例えば、「ラーメン ２分」のようにプリセットボタン１６に設定されているアラーム時間をそのものが記入されてもよい。また、プリセット情報表示領域１８は、文字や数字だけでなく、記号や色等、タイマー装置１０の利用者がプリセットボタン１６に設定されているアラーム時間を認識できる態様で表示が行われればよい。
【００４５】
また、上記実施形態では、タイマー装置１０が設定可能なアラーム時間を４つとする形態について説明したが、本実施形態はこれに限られない。タイマー装置１０が設定可能なアラーム時間は２つ以上であればよい。また、カウント表示部１４も２つではなく、プリセットボタン１６毎に一対一に対応するように設けられてもよいし、同時に複数のアラーム時間を計時可能とせず、カウント表示部１４を１つとしてもよい。
【００４６】
また、上記実施形態では、プリセット情報表示領域１８がプリセットボタン１６の右側に配置される形態について説明したが、本実施形態はこれに限られず、プリセット情報表示領域１８はプリセットボタン１６の左側に配置されてもよい。
【００４７】
また、上記実施形態では、プリセットボタン１６、プリセット情報表示領域１８、及び入力部２０がカウント表示部１４の下側に上下方向に並んで配置される形態について説明したが、本実施形態はこれに限られない。例えば、図６に示されるように、カウント表示部１４の横側（右側）に、入力部２０が配置され、カウント表示部１４及び入力部２０の下側に、プリセットボタン１６及びプリセット情報表示領域１８が配置されてもよい。なお図６に示されるタイマー装置１０は、自立させるためのスタンドが背面に設けられてもよい。
【００４８】
図６に示されるタイマー装置１０は横長となる。タイマー装置１０が横長となることで、例えば、机の上に立てかけたり、自立させて勉強用又は化学等の実験用のタイマーとして使用する際に配置が容易になると共に安定性が高くなる。
【００４９】
また、タイマー装置１０は、カウント表示部１４の下側に入力部２０が配置され、カウント表示部１４及び入力部２０の右側に、プリセットボタン１６及びプリセット情報表示領域１８が上下方向に並んで配置される等してもよい。
【符号の説明】
【００５０】
１０    タイマー装置
１４    カウント表示部
１６    プリセットボタン（操作ボタン）
１８    プリセット情報表示領域（設定情報表示領域）
２０    入力部
３０    シール
３２    フリー情報表示領域（情報表示領域）
３４    正面カバー（透明部材）
【図１】
0003233989.tif 000003
【図２】
0003233989.tif 000004
【図３】
0003233989.tif 000005
【図４】
0003233989.tif 000006
【図５】
0003233989.tif 000007
【図６】
0003233989.tif 000008